(57)【要約】【課題】衛生的に管理される室内空間内への虫、塵埃等の異物の侵入を確実に防ぐことができ、さらには侵入した虫を捕獲することができる防虫防塵エアシャッタを提案する。【解決手段】室内空間１０の開口部に外部と連通する通路空間Ｓが形成され、該通路空間Ｓの両側壁部にケーシング１、２を備え、夫々のケーシングには空気流の吹出口２２、３２と吸引口２１、３１が水平方向に隣接して配置されるとともに、一側壁部の吹出口と他側壁部の吸引口が通路空間を挟んで対向配置され、夫々のケーシング内には、吸引口から吸引した空気流が反転部にて水平方向に１８０°反転して吹出口より吹出す空気流路２３、２４が形成され、前記空気流が、通路空間を横断する２つの異なる平面内と空気流路との間を循環するようにし、通路空間Ｓの横断面に二重の空気膜を形成した。【選択図】図１
2007278577.tif 000002
【特許請求の範囲】
【請求項１】
室内空間の開口部に外部と連通する通路空間が形成され、該通路空間を横方向に横断する空気流により室内空間を外部と遮断する防虫防塵エアシャッタにおいて、
前記通路空間を横断する２つの異なる平面内に互いに対向する空気流を形成し、該空気流が側壁部内の反転部を介して水平方向に１８０°反転して前記２つの平面を循環するようにし、前記通路空間の横断面に二重の空気膜を形成したことを特徴とする防虫防塵エアシャッタ。
【請求項２】
室内空間の開口部に外部と連通する通路空間が形成され、該通路空間を横方向に横断する空気流により室内空間を外部と遮断する防虫防塵エアシャッタにおいて、
前記通路空間の両側壁部に夫々前記空気流の吹出口と吸引口が水平方向に隣接して配置されるとともに、一側壁部の前記吹出口と他側壁部の前記吸引口が通路空間を挟んで対向配置され、
夫々の側壁部内には、前記吸引口から吸引した空気流が反転部にて水平方向に１８０°反転して前記吹出口より吹出す空気流路が形成され、
前記空気流が、前記通路空間を横断する２つの異なる平面内と前記空気流路との間を循環するようにし、前記通路空間の横断面に二重の空気膜を形成したことを特徴とする防虫防塵エアシャッタ。
【請求項３】
前記空気流路上に捕虫網を設けたことを特徴とする請求項２記載の防虫防塵エアシャッタ。
【請求項４】
室内空間の開口部に外部と連通する通路空間が形成され、該通路空間を横方向に横断する空気流により室内空間を外部と遮断する防虫防塵エアシャッタにおいて、
前記通路空間の両側壁部に夫々前記空気流の吹出口と吸引口が鉛直方向に隣接して配置されるとともに、一側壁部の前記吹出口と他側壁部の前記吸引口が通路空間を挟んで対向配置され、
夫々の側壁部内には、前記吸引口から吸引した空気流が反転部にて鉛直方向に１８０°反転して前記吹出口より吹出す空気流路が形成され、
前記空気流が、前記通路空間を横断する１つの平面内と前記空気流路との間を循環するようにし、前記通路空間の横断面に１つの空気膜を形成するとともに、
前記空気流路上に捕虫網を設けたことを特徴とする防虫防塵エアシャッタ。
【請求項５】
前記吸引口側の空気流路に、エアシャッタ稼動時に開放し、停止時に閉止するダンパを設けたことを特徴とする請求項１乃至３の何れかに記載の防虫防塵エアシャッタ。
【請求項６】
前記捕虫網に、殺虫用薬剤を含有させたことを特徴とする請求項２若しくは３記載の防虫防塵エアシャッタ。
【請求項７】
前記空気流路上に捕虫手段を備えたことを特徴とする請求項１乃至５記載の何れかに記載の防虫防塵エアシャッタ。
【請求項８】
前記捕虫手段が、粘着機能を有する捕虫シートであることを特徴とする請求項７記載の防虫防塵エアシャッタ。
【請求項９】
前記捕虫手段が、虫を誘き寄せる光を照射する誘虫灯であることを特徴とする請求項７若しくは８記載の防虫防塵エアシャッタ。
【発明の詳細な説明】
【技術分野】
【０００１】
本発明は、例えば食品工場などの衛生的に管理された室内空間の出入口に設置され、該室内空間内への虫、塵埃等の異物の侵入を効果的に防ぐことができ、特に侵入した虫を捕獲することができる防虫防塵エアシャッタに関する。
【背景技術】
【０００２】
従来、食品工場などの衛生的に管理された室内空間の出入口（開口部）において、虫、塵埃等の異物の侵入を防ぐ手段の一つとして、開口部に空気壁を形成するエアカーテン方式が提案、実用化されている。エアカーテン方式としては、開口部上部から下方に向かって空気流を吹き出す吹き下ろし式、開口部上部から下方に向かって空気流を噴出し、床ピット部より吸引し、ダクトにて上方へリターンさせる上下循環式、開口部横面より反対側に向かってエアカーテン流を水平に吹き出す横流方式、開口部横面より反対側に向かってエアカーテン流を水平に吹き出し、反対側より吸引し、ダクトにて吹き出し側にリターンさせる横流循環式、開口部横両面より中央に向かってエアカーテン流を吹き出し、吹き出されたエアカーテン流が胴面にある吸込口にサーキュレーションし吹き込まれる横流対向循環式、及び開口部横両面より中央に向かって角度をつけてエアカーテン流を水平方向に吹き出す横流対向式等がある。
【０００３】
例えば、特許文献１（特許第２９２０７５９号公報）には、横流対向式のエアカーテン装置が開示されている。この方式は、開口部の両側壁部に、通路空間を横方向に横断するエアカーテン気流の吹出口を対向して設け、各吹出口の吹き出し方向を夫々の吹き出し位置から適宜の角度で室外側に向け、且つ通路空間内で互いに交差するように配向したエアカーテン装置において、各側のエアカーテン気流の風速を互いに異ならせ、一側を相対的に高風速、他側を相対的に低風速とすることにより、各側のエアカーテン気流の合流地点における気流の乱れや、脈動による渦気流の発生とそれに伴う室内への侵入気流及びそれに乗じた害虫の侵入を抑制したものである。
【０００４】
また、特許文献２（特開２００６−５７９２８号公報）には、遮断対象とする室内空間への出入口に両側壁部と天井部及び床面で形成される通路空間を形成し、同通路空間を横方向に横断するエアカーテン気流で遮蔽するエアシャッタにおいて、通路空間を横断する少なくとも２つの分離した平面内にそれぞれの平面で互いに向きが異なる横方向のエア循環流によるエアカーテンを形成したエアシャッタの構成が開示されている。これにより、空気の衝突をなくすとともに、開口部の面内で空気を循環させることにより開口部における空気の乱れを極力なくし、これによって開口部からの異物の侵入防止効果を向上させるようにしている。
【０００５】
【特許文献１】特許第２９２０７５９号公報
【特許文献２】特開２００６−５７９２８号公報
【発明の開示】
【発明が解決しようとする課題】
【０００６】
上記した各方式のうち、横流対向循環式及び横流対向式は異物遮断効果が高いことが考えられるが、これらの方式は以下のような問題点がある。
即ち、横流対向循環式は、ファンを内蔵した門柱型のエアカーテンを間口に設置し、左右から空気を吹き出して中央でぶつけ合い、跳ね返った空気を吸い込んで循環させる方式であるが、中央でぶつけ合った風を跳ね返らせて吸い込むことは吸い込み面積が狭いために困難であり、且つ開口部付近の空気を乱すために、異物が侵入しやすくなる惧れがある。
また横流対向式は、ファンを内蔵した門柱型のエアカーテンを開口部に設置し、左右から空気を吹き出して中央でぶつけ合う方式であるが、空気の吸い込みは吹き出し面とは別の面から吸い込み、横流対向循環式と同様に開口部付近の空気を乱すために、異物が侵入しやすくなる惧れがある。
【０００７】
特許文献１に開示された方式は、左右から風速ベクトルの異なった空気を吹き出し、途中でぶつけ合いながら弱い風速ベクトルを高い風速ベクトルに合流させ、吹き出し面とは異なった面で吸い込ませる方式であるが、実際は、風速ベクトルの異なった空気を途中でぶつけ合いながら弱い風速ベクトルを高い風速ベクトルに合流させることが困難であり、開口部付近の空気を乱すことになり、且つ吹き出し面とは異なった面で吸い込ませることが実際は困難であろうと考えられる。
これらの各従来方式は何れも左右から吹き出した空気をぶつけ合うものであり、このため開口部付近の空気をいたずらに乱し、この空気の乱れが異物を侵入しやすくしている。またこれら各方式は、ぶつけ合った空気を吹き出し面と離れた所で吸い込むことで、空気を循環しているが、これがさらに開口部付近の空気の乱れを助長している。
【０００８】
また、特許文献２に開示された方式は、通路空間内で空気を循環させる構成であり空気流の乱れは生じないものの、より一層高い防虫効果が望まれており、特にエアシャッタ稼動時に装置内に侵入した虫を積極的に除去することは何れの従来技術でも行われておらず、異物の侵入を遮断するとともに虫を積極的に除去することが求められていた。
従って、本発明は上記従来の技術の問題点に鑑み、衛生的に管理される室内空間内への虫、塵埃等の異物の侵入を確実に防ぐことができ、さらには侵入した虫を捕獲することができる防虫防塵エアシャッタを提案することを目的とする。
【課題を解決するための手段】
【０００９】
そこで、本発明はかかる課題を解決するために、室内空間の開口部に外部と連通する通路空間が形成され、該通路空間を横方向に横断する空気流により室内空間を外部と遮断する防虫防塵エアシャッタにおいて、
前記通路空間を横断する２つの異なる平面内に互いに対向する空気流を形成し、該空気流が側壁部内の反転部を介して水平方向に１８０°反転して前記２つの平面を循環するようにし、前記通路空間の横断面に二重の空気膜を形成したことを特徴とする。
【００１０】
また、室内空間の開口部に外部と連通する通路空間が形成され、該通路空間を横方向に横断する空気流により室内空間を外部と遮断する防虫防塵エアシャッタにおいて、
前記通路空間の両側壁部に夫々前記空気流の吹出口と吸引口が水平方向に隣接して配置されるとともに、一側壁部の前記吹出口と他側壁部の前記吸引口が通路空間を挟んで対向配置され、
夫々の側壁部内には、前記吸引口から吸引した空気流が反転部にて水平方向に１８０°反転して前記吹出口より吹出す空気流路が形成され、
前記空気流が、前記通路空間を横断する２つの異なる平面内と前記空気流路との間を循環するようにし、前記通路空間の横断面に二重の空気膜を形成したことを特徴とする。
【００１１】
本発明によれば、通路空間には通路奥行き方向に二重の空気膜が形成されるため、空気流が互いに干渉して乱れることがなく、安定的に異物遮断効果を維持できる。また、二重で且つ互いに対向した空気流を形成しているため、通路空間を通過する人や物により遮られることがあっても、空気流が欠ける部分が存在せず、室内空間を外部から確実に遮断することができる。また、側壁部内の循環流を水平方向に１８０°反転させる構成としているため、流路断面積を大きくし、吸引側圧損を低減でき、且つ高さ方向での吹出風速を均一化できる。
【００１２】
また、前記空気流路上に捕虫網を設けたことを特徴とする。
これにより、空気流によって吹き飛ばされた虫を吸引口より吸込み、吸込み口直後に捕虫網にて積極的に虫を捕獲することが可能となる。さらに捕虫網は、装置内に吸込んだ虫がファンによって粉砕され場内に飛散することを防止する。
【００１３】
また、室内空間の開口部に外部と連通する通路空間が形成され、該通路空間を横方向に横断する空気流により室内空間を外部と遮断する防虫防塵エアシャッタにおいて、
前記通路空間の両側壁部に夫々前記空気流の吹出口と吸引口が鉛直方向に隣接して配置されるとともに、一側壁部の前記吹出口と他側壁部の前記吸引口が通路空間を挟んで対向配置され、
夫々の側壁部内には、前記吸引口から吸引した空気流が反転部にて鉛直方向に１８０°反転して前記吹出口より吹出す空気流路が形成され、
前記空気流が、前記通路空間を横断する１つの平面内と前記空気流路との間を循環するようにし、前記通路空間の横断面に１つの空気膜を形成するとともに、
前記空気流路上に捕虫網を設けたことを特徴とする。
【００１４】
本発明では、１つの横断面の上方側と下方側に互いに対向して流れる空気流を形成し、該空気流を循環させることにより、空気流が互いに干渉して乱れることがなく、安定的に異物遮断効果を維持できる。また、空気流の吸引口と吹出口を鉛直方向に配設しているため、装置の小型化が可能である。また、捕虫網にて積極的に虫を捕獲することが可能となる。
【００１５】
さらに、前記吸引口側の空気流路に、エアシャッタ稼動時に開放し、停止時に閉止するダンパを設けたことを特徴とする。
このようにダンパを設けることにより、空気の流れがなくなる装置停止時であっても吸引口から虫が逃避することを防止できる。
【００１６】
さらにまた、前記捕虫網に、殺虫用薬剤を含有させたことを特徴とする。これにより、一旦捕虫網にて捕獲した虫を逃がすことなく除去することが可能となる。
また、前記空気流路上に捕虫手段を備えたことを特徴とする。このように、捕虫手段を設けて積極的に虫を捕獲することにより、確実に虫を除去することができる。
【００１７】
さらに、前記捕虫手段が、粘着機能を有する捕虫シートであることを特徴とする。これにより、確実に虫を捕獲することができ、捕獲した虫が逃げることを防止できる。
さらにまた、前記捕虫手段が、虫を誘き寄せる光を照射する誘虫灯であることを特徴とする。このように誘虫灯により虫を集めることにより、捕虫効果を向上させることができる。
【発明の効果】
【００１８】
以前記載のごとく本発明によれば、通路空間には通路奥行き方向に二重の空気膜が形成されるため空気流が互いに干渉して乱れることがなく、異物侵入を防止する遮断効果を安定的に維持できる。また、二重で且つ互いに対向した空気流を形成しているため、通路空間を通過する人や物により遮られることがあっても、空気流が欠ける部分が存在せず、室内空間を確実に遮断することができる。
また、他の発明によれば、１つの横断面の上方側と下方側に互いに対向して流れる空気流を形成し、該空気流を循環させることにより空気流が互いに干渉して乱れることがなく、安定的に異物遮断効果を維持できる。また、空気流の吸引口と吹出口を鉛直方向に配設しているため、装置の小型化が可能である。
【００１９】
また、捕虫網を備えることにより、空気流によって吹き飛ばされた虫を吸引口より吸込み、吸込み口直後に捕虫網にて虫を捕獲することが可能となる。
さらに、吸引口にダンパを設けることにより、空気の流れがなくなる装置停止時であっても吸引口から虫が逃避することを防止できる。
さらにまた、捕虫手段を備えることにより、積極的に虫を捕獲することができ、虫除去効率を向上させることができる。
【発明を実施するための最良の形態】
【００２０】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
図１乃至図３は本発明の実施例１に係る防虫防塵エアシャッタを示す図で、図４乃至図６は本発明の実施例２に係る防虫防塵エアシャッタを示す図で、図７は本発明に係るダンパの構成例を示す図で、図８は本実施例に係る虫捕獲手段を説明する図で、図９は本実施例に係る虫取出し口を備えた防虫防塵エアシャッタの要部斜視図で、図１０及び図１１は各実施例における虫の遮断効率を示すグラフで、図１２は防虫防塵エアシャッタの配置構成の例を示す図である。
【００２１】
図１２に示すように、本実施例に係る防虫防塵エアシャッタ１は、衛生管理が必要とされる室内空間１０の出入口（間口）通路Ｓの両側に設置され、虫や塵埃等の異物が室内空間１０へ侵入することを防止するとともに、侵入してきた虫を捕獲する装置である。
実施例１は防虫効果が高く、遮断空間を極めて衛生的に維持する設備に好適に使用できる。実施例２は、簡素化された装置構成により防虫、防塵を可能とした簡易型防虫防塵エアシャッタとして好適に使用できる。
【００２２】
［実施例１］
図１乃至図３を参照して本実施例１の防塵防虫エアシャッタの具体的構成を説明する。
エアシャッタ１は、室内空間１０の間口（開口部）に配置される。該間口には室内空間１０と室外空間１１を連通する通路空間Ｓが設けられており、該通路空間Ｓは、天井部１２と床面１３と左側壁面と右側壁面で形成される。
エアシャッタ１は、通路空間Ｓを挟んで対向して設けられた左側ケーシング２と右側ケーシング３とを備える。左側ケーシング２は通路空間Ｓの左側壁側に位置し、右側ケーシング３は右側壁側に位置する。
【００２３】
左側ケーシング２は、通路空間Ｓの奥行き方向に２分割され、通路空間Ｓに向けて開口する吸引口２１と吹出口２２を備える。該左側ケーシング２内には、吸引口２１と吹出口２２とを接続する空気流路２３が形成され、吸引口２１から流入した循環流Ｃは該空気流路２３内の反転部にて水平方向に１８０°反転した後、吹出口２２より排出されるようになっている。尚、前記空気流路２３の形状は、水平断面においてコの字状であってもよいし、半円状であってもよい。さらに左側ケーシング２の形状も、角柱状であってもよいし、半円柱状であってもよい。
右側ケーシング３は、前記左側ケーシング２と同様の構成を有しており、吸引口３１と吹出口３２と、これらを接続する空気流路３３とが設けられ、該空気流路３３には反転部を有する。
さらに、左側ケーシング２の吸引口２１と右側ケーシング３の吹出口３２が、左側ケーシング２の吹出口２２と右側ケーシング３の吸引口３１が夫々対面するように配置される。
【００２４】
また、空気流路２３、３３には、鉛直方向に対して列状に配置された複数のファン２４、３４が夫々設けられている。本実施例では一例として吹出口２２、３２側にファン２４、３４を設けた構成としている。ファン２４、３４は鉛直方向に均等配置することが好ましく、これにより空気流の吹出風速を均一化できる。
上記構成を備えることにより、左側ケーシング２の吸引口２１から吸引された循環流Ａは空気流路２内を反転して（循環流Ｃ）、ファン２４により昇圧された後、吹出口２２から排出されて循環流Ｂを形成する。循環流Ｂは右側ケーシング３の吸引口３１から吸引されて空気流路３内を反転して（循環流Ｄ）、ファン３４により昇圧された後、吹出口３２から排出されて循環流Ｂを形成する。
【００２５】
一般的に虫（ハエ等中型〜小型）を遮断するために必要な風速は３〜４ｍ／ｓ程度である。従って本装置では、通路空間Ｓの中央部の風速を３〜４ｍ／程度以上、好適には約４ｍ／ｓ以上とすることが好ましい。二重の空気膜にすることにより左右の装置の守備範囲を半分に限定している。例えば、通路空間Ｓの幅＝２２００ｍｍとした場合、一方のケーシングからは、吹出口から通路空間Ｓの幅の半分＝１１００ｍｍの地点まで４ｍ／ｓ以上の風速を維持すればよい。このとき、吹出口の吹出風速は８ｍ／ｓ以上となる。
【００２６】
本実施例１によれば、通路空間Ｓには、通路奥行き方向に二重の空気膜が形成されることとなる。従って、空気流が互いに干渉することがなく、互いの空気流を乱すことがない。また、二重で且つ互いに対向した空気流を形成しているため、通路空間Ｓを通過する人や物により遮られることがあっても、空気流が欠ける部分が存在せず、室内空間を確実に遮断することができる。
また、ケーシング内の循環流を水平方向に１８０°反転させる構成としているため、流路断面積を大きくし、吸引側圧損を低減でき、且つ高さ方向での吹出風速を均一化できる。
【００２７】
また図７に示すように、防虫防塵エアシャッタ１の吸引口２１、２２にダンパ５を設けることが好ましい。ダンパ５は、後述する捕虫網４より吸引口２１側に設けられる。該ダンパ５はエアシャッタ稼動時に開き、停止時に閉止する。
ダンパ５の構成としては、風圧により自動開閉する構成や、電動モータにより駆動する構成などが挙げられる。
捕虫した虫は、装置運転中は空気の流れにより吸込口から装置外に逃避することがない。しかし、装置停止時には空気の流れが無くなるため、虫が吸引口から装置外に逃避することが考えられる。従って本構成のように、吸引口にはダンパを取り付け、装置停止時にはダンパを閉止することにより吸引口からの虫の逃避を防止することが可能となる。
【００２８】
また図８（ａ）に示すように、吸引口２１側の空気流路２３上には捕虫網４を設ける。捕虫網４は、空気流路２３の横断面に亘って全面に設けられ、捕獲したい虫の大きさに応じた目開きを有する網とする。
さらに好ましくは、捕虫網４とダンパ５の間の空気流路２３を捕虫空間２５とし、該捕虫空間２５に捕虫手段を設ける。捕虫手段は、ダンパ開放時に捕虫空間２５に侵入した虫を積極的に捕獲する手段である。
図８（ｂ）は、捕虫手段として薬剤を含む網４’を備えた構成である。これは、殺虫等の作用を有する薬剤を捕虫網に塗布若しくは練り込んだ薬剤含有捕虫網４’を備えている。
図８（ｃ）は、粘着機能を有する捕虫シート８を捕虫空間２５の壁面に設置するとともに、虫が引き寄せられる光を照射する誘虫灯７を備える。該誘虫灯７を捕虫シート８に向けて照射することにより虫が光に引き寄せられて捕虫シート８近傍に集まり、捕虫シート８により捕獲されるようになっている。
【００２９】
また図９に示すように、ケーシング２に、捕獲した虫を取り出す取出し口６を設けるとよい。該取出し口６からは、捕虫網４に衝突して底面に落下した虫や、虫が付着した捕虫シート８などを取り出せる。取出し口６から虫を取り出す時はエアシャッタ停止時に行うとよい。
本構成によれば、空気流によって吹き飛ばされた虫を吸引口２１、３１より吸込み、吸込口直後に設けた捕虫網４にて積極的に虫を捕獲することが可能である。また、捕虫網４は、装置内に吸込んだ虫がファン２４、３４によって粉砕され場内に飛散することを防止する。
さらに、誘虫灯７や捕虫シート８等の捕虫手段を設けて積極的に虫を捕獲することにより、確実に虫を除去することができる。
尚、図７乃至図９には左側ケーシング２内部の構造につき示したが、左側ケーシング３も同様の構成を有するものとする。
【００３０】
［実施例２］
図４乃至図６を参照して本実施例２の防塵防虫エアシャッタの具体的構成を説明する。尚、本実施例２において、上記した実施例１と同様の構成についてはその詳細な説明を省略する。
エアシャッタ１は、室内空間１０の開口部（間口）に配置され、通路空間Ｓを挟んで対向して設けられた左側ケーシング２と右側ケーシング３とを備える。
本実施例２では、左側ケーシング２は鉛直方向上下に２分割され、通路空間Ｓに向けて開口した吸引口２１と吹出口２２を備える。該ケーシング２内には、吸引口２１と吹出口２２とを接続する空気流路２３が形成され、吸引口２１から流入した循環流は該空気流路２３内の反転部にて鉛直方向に１８０°反転して吹出口２２より排出されるようになっている。
右側ケーシング３は前記左側ケーシング２と同様の構成を有しており、吸引口３１と吹出口３２と、これらを接続する空気流路３３とを備え、該空気流路３３内には反転部が設けられている。
左側ケーシング２の吸引口２１と右側ケーシング３の吹出口３２が、左側ケーシング２の吹出口２２と右側ケーシング３の吸引口３１が夫々対面するように配置される。
【００３１】
また、空気流路２３、３３には、鉛直方向に対して列状に配置された複数のファン２４、３４を夫々備える。本実施例では一例として、左側ケーシング２では吹出口２２側の下半分にファン２４を設け、右側ケーシング３では吹出口３２側の上半分にファン３４を設けた構成としている。
上記構成を備えることにより、左側ケーシング２上方の吸引口２１から吸引された循環流Ａは、空気流路２内を鉛直下方に向けて反転して（循環流Ｃ）、ファン２４により昇圧された後、下方の吹出口２２から排出されて循環流Ｂを形成する。循環流Ｂは右側ケーシング３下方の吸引口３１から吸引されて空気流路３内を鉛直上方に向けて反転して（循環流Ｄ）、ファン３４により昇圧された後、上方の吹出口３２から排出されて循環流Ａを形成する。
【００３２】
本実施例２によれば、通路空間Ｓには、上方と下方で向きの異なる循環流Ａ、Ｂにより一層の空気膜が形成される。これにより空気流が互いに干渉することがなく、互いの空気流を乱すことがなく室内空間を遮断することができる。また、吸引口と吹出口が鉛直方向に並んで配置されるため装置を小型化できる。
また、ケーシング内の循環流を鉛直方向に１８０°反転させる構成としているため、流路断面積を大きくし、吸引側圧損を低減でき、且つ高さ方向での吹出風速を均一化できる。
さらに本実施例２は上記した実施例１と同様に、図７乃至９に記載したダンパ５、各種捕虫手段、虫取出し口６を備えることが好ましい。
【００３３】
［虫捕獲試験］
ここで、実施例１及び実施例２に示した防虫防塵エアシャッタを用いて虫捕獲試験を行って防虫効果を検証する。
実施例１では、図１２に示す室内空間の間口幅が１０００ｍｍの場合と、間口幅が２２００ｍｍの場合について試験を行った。エアシャッタ１は、捕虫網４を備えたものを使用する。
試験方法は、エアシャッタ１を所定の周波数で運転し、室外側に設けた投入口１６からイエバエを一定数（４０匹）投入する。次いで室内空間の仕切扉１５を開放し、３０分間放置する。３０分経過後、仕切扉１５を閉止し、殺虫剤を散布した後、室外１１側・室内空間１０側の各空間におけるイエバエの数を計測した。
【００３４】
遮断効率の算出方法は、以下の式（１）による。
η＝（ｘｏｆｆ−ｘｏｎ）／ｘｏｆｆ×１００        …（１）
ここで、η：遮断効率［％］、ｘ：侵入率［％］、ｏｆｆ：エアシャッタ停止時、ｏｎ：エアシャッタ稼動時である。
尚、侵入率ｘは以下の式により算出する。
ｘ＝ｎｆ／ｎｓ×１００                            …（２）
ここで、ｘ：侵入率［％］、ｎｓ：投入したイエバエの数［匹］、ｎｆ：３０分経過後に室内空間側に侵入していたイエバエの数［匹］である。
【００３５】
上記虫捕獲試験を行った結果を図１０に示す。本試験によれば、実施例１のエアシャッタを使用することにより、７０％以上の遮断効率が得られることがわかる。また、周波数を上げて風速を上げることにより、間口幅２２００ｍｍでは９０％以上の遮断効率が得られ、間口幅２７００ｍｍでは８５％以上の遮断効率が得られることがわかる。
このように、本実施例１のエアシャッタを使用し、所定風速以上の循環流を形成することにより、極めて高い捕虫効果が得られることがわかった。
また、投入したイエバエの半数近くが吸引口の捕虫網４に捕獲されており、捕虫網４の捕虫効果が確認できた。
【００３６】
次に、実施例２について上記した実施例１と同様の試験を行った結果を図１１に示す。尚、今回は間口幅１０００ｍｍの場合と、２２００ｍｍの場合について試験を行った。
本試験によれば、間口幅１０００ｍｍの場合には７０％以上の遮断効率が得られることがわかる。
しかし、本実施例２の構成においては、間口幅２２００ｍｍの場合には遮断効率が低下するため、間口幅の条件に適した装置構成とする必要がある。
即ち、間口幅が広い場合には防虫効果が高い実施例１の構成が有効であり、間口の設置スペースが小さい場合には小型化が可能な実施例２の構成が有効である。
【産業上の利用可能性】
【００３７】
本発明の防虫防塵エアシャッタは、室内空間への虫や塵埃等の異物の侵入を防いで該室内空間を衛生的に管理できるとともに、空気の出入りを遮断する効果も有するため、例えばサーモシャッタなどのように、室内空間と外部との温度差を維持する際にも好適に利用可能である。
【図面の簡単な説明】
【００３８】
【図１】本発明の実施例１に係る防虫防塵エアシャッタの概略斜視図である。
【図２】図１の防虫防塵エアシャッタを示し、（ａ）は側断面図、（ｂ）はＸ−Ｘ線断面図である。
【図３】図１の防虫防塵エアシャッタの平面図である。
【図４】本発明の実施例２に係る防虫防塵エアシャッタの概略斜視図である。
【図５】図２の防虫防塵エアシャッタの側断面図である。
【図６】図２の防虫防塵エアシャッタの平面図である。
【図７】本発明に係るダンパの構成例を示し、（ａ）はファン運転時の図、（ｂ）はファン停止時の図である。
【図８】本実施例に係る虫捕獲手段を説明する図であり、（ａ）は捕獲網を備えた図、（ｂ）は薬剤を塗布した捕獲網を備えた図、（ｃ）は虫捕獲シートと誘虫灯を備えた図である。
【図９】本実施例に係る虫取出し口を備えた防虫防塵エアシャッタの要部斜視図である。
【図１０】本実施例１における虫の遮断効率を示すグラフである。
【図１１】本実施例２における虫の遮断効率を示すグラフである
【図１２】防虫防塵エアシャッタの配置構成の例を示す図である。
【符号の説明】
【００３９】
１      エアシャッタ
２      左側ケーシング
３      右側ケーシング
４      捕虫網
４’    薬剤を含む網
５      ダンパ
６      取出し口
７      誘虫灯
８      捕虫シート
１０    室内空間
１１    室外空間
１２    天井部
１３    床面
１５    仕切扉
１６    投入口
２１、３１  吸引口
２２、３２  吹出口
２３、３３  空気流路
２４、３４  ファン
【図１】
2007278577.tif 000003
【図２】
2007278577.tif 000004
【図３】
2007278577.tif 000005
【図４】
2007278577.tif 000006
【図５】
2007278577.tif 000007
【図６】
2007278577.tif 000008
【図７】
2007278577.tif 000009
【図８】
2007278577.tif 000010
【図９】
2007278577.tif 000011
【図１０】
2007278577.tif 000012
【図１１】
2007278577.tif 000013
【図１２】
2007278577.tif 000014